(57)【特許請求の範囲】
【請求項１】
地下施設蓋において、バール切欠に近接した蓋の裏面にブラケットを介して着脱、かつ、回動自在に取付けられた第１部材と、該第１部材の枢支軸に摺回動自在に嵌合された第２部材とを含み、前記第１部材は蓋閉状態で、前記蓋裏面にほぼ平行な上辺をもった偏平矩形状本体と、該本体の一方および他方側面から前記蓋裏面に平行に前記ブラケットまで突出した一方軸および他方軸と、前記本体の上辺から上方に突出したバール切欠覆いと、前記本体の下辺に設けられた重り部と、前記本体の一方側面下部または前記重り部の一方側面から突出した凸部とを含み、前記第２部材は、上端付近に枢支孔、中間部の前記第１部材側の面に前記凸部を避ける凹所を持ち、本体の下端に引掛部が形成された鈎部とを含むものにおいて、
前記第１部材の本体から重り部へかけての背面には、厚さ方向に深い位置決め穴が設けられ、該位置決め穴に一端部が挿入された圧縮コイルバネの他端が前記蓋の裏面に押圧接触し、該コイルバネの他端が嵌合する位置決め凸部が前記蓋の裏面に設けられ、
前記第１部材の本体と前記バール切欠覆いとの境界部には鉢巻き状に位置決め溝が設けられ、該位置決め溝に環状シール部材が弾性変形により着脱自在に装着され、
該環状シール部材は弾性に富むものからなり、断面円形の長円状本体と、その長径，短径を含む平面内で外周から張り出した可撓性に富むヒダ状部からなり、前記位置決め溝に弾性変形して嵌まり、蓋閉状態で、蓋のバール切欠と前記第１部材のバール切欠覆いとの間の隙間を塞ぐように、前記ヒダ状部の大きさ，形状に定められたことを特徴とする地下施設蓋の開閉構造。
【発明の詳細な説明】
【０００１】
【発明の属する技術分野】
本発明は上下水道蓋、電力、電気通信用蓋、およびガス用蓋等の地下連結用蓋に穿設されたバール孔、鍵穴等の貫通孔を常時は閉鎖し、必要時開くことができる開閉装置の開閉構造に関する。
【０００２】
【従来の技術】
従来の実公昭５８−３８９２号公報（第１先行技術）に示されるものは、次のごときものであった。即ち、地下連結用蓋の孔の下方に孔閉鎖用弁板を配し、同弁板を支持するアームの中途を蓋裏面に枢支するとともに、同アーム下部に受枠内周壁と係止する鉤部を設け、更に弁板に所定押力をもって孔を閉蓋せしめる常閉機能を備えている。そして、弁板は常時は蓋孔を閉じ、雨水、泥砂等の侵入を防ぎ、又マンホール、地下構造物からの有害ガス、悪臭の大気への発散を防止する。弁板を外部から押せば、蓋孔が開いて弁板上の土砂を落し込むことができる。
【０００３】
また、本発明者、本出願人の開発した第２先行技術（実公平６−３７０８１号公報）は次のようなものであった。蓋の裏に回動自在に取付けられた第１部材と、該第１部材の枢支軸に摺回動自在に嵌合された第２部材とからなる。前記第１部材は蓋閉状態で、前記蓋裏面にほぼ平行な上辺をもった偏平矩形状本体と、該本体の一方および他方側面から前記蓋裏面に平行に前記ブラケットまで突出した一方軸および他方軸と、前記本体の上辺から上方に突出したバール切欠覆いと、前記本体の下辺に設けられた重り部と、前記本体の一方側面下部または前記重り部の一方側面から突出した凸部とからなる。また前記第２部材は、上端付近に枢支孔、中間部の前記第１部材側面に前記凸部を避ける凹所を持ち、本体の下端に引掛部が形成された鈎部とを持つ。
【０００４】
【発明が解決しようとする課題】
しかしながら、前記第１先行技術では、蓋孔にバールを差し込めば、誰でも簡単に鉤部材を枠受部から外す事ができる。従って、蓋を開けて有害物、塵埃、ペットの死骸などが不法に投棄される恐れがある。
【０００５】
また、第２先行技術では、第１，第２部材が車などの走行による振動により揺動し、バール切欠蓋と、蓋のバール切欠との隙間が大きくなり、雨水や土砂がマンホール内に浸入する欠点があった。
【０００６】
本発明は上記課題を解決し、第１，第２部材の揺動を出来るだけ阻止し、かつ、バールなどで損傷されないシール部材を装着した地下施設蓋の開閉構造を提供することを目的とする。
【０００７】
【課題を解決するための手段】
上記課題を解決するため、本発明の構成は次のとおりとする。即ち、地下施設蓋において、バール切欠に近接した蓋の裏面にブラケットを介して着脱、かつ、回動自在に取付けられた第１部材と、該第１部材の枢支軸に摺回動自在に嵌合された第２部材とを含み、前記第１部材は蓋閉状態で、前記蓋裏面にほぼ平行な上辺をもった偏平矩形状本体と、該本体の一方および他方側面から前記蓋裏面に平行に前記ブラケットまで突出した一方軸および他方軸と、前記本体の上辺から上方に突出したバール切欠覆いと、前記本体の下辺に設けられた重り部と、前記本体の一方側面下部または前記重り部の一方側面から突出した凸部とを含み、前記第２部材は、上端付近に枢支孔、中間部の前記第１部材側の面に前記凸部を避ける凹所を持ち、本体の下端に引掛部が形成された鈎部とを含むものにおいて、前記第１部材の本体から重り部へかけての背面には、厚さ方向に深い位置決め穴が設けられ、該位置決め穴に一端部が挿入された圧縮コイルバネの他端が前記蓋の裏面に押圧接触し、該コイルバネの他端が嵌合する位置決め凸部が前記蓋の裏面に設けられ、前記第１部材の本体と前記バール切欠覆いとの境界部には鉢巻き状に位置決め溝が設けられ、該位置決め溝に環状シール部材が弾性変形により着脱自在に装着され、該環状シール部材は弾性に富むものからなり、断面円形の長円状本体と、その長径，短径を含む平面内で外周から張り出した可撓性に富むヒダ状部からなり、前記位置決め溝に弾性変形して嵌まり、蓋閉状態で、蓋のバール切欠と前記第１部材のバール切欠覆いとの間の隙間を塞ぐように、前記ヒダ状部の大きさ，形状に定められたことである。
【０００８】
【作用】
バールを覆いの上面から挿入すると、第１部材は自重とコイルバネの力に抗して第１角度まで回動して、バール切欠は開くが、凸部が第２部材凹所内を動くだけで、第２部材の引掛部は受枠突起に係合したままである。従って、バール先端を蓋裏に当ててこじ開けようとしても、蓋は閉状態である。
【０００９】
次に、バールで覆い付近を押圧すれば、第１部材は更に回動し、凸部が第２部材凹所が壁を押すので、両部材は一体となって第２角度まで回動し、ついに引掛部が受枠から離れる。この状態から第２部材が自重で元に戻って引掛部が受枠突起に停止するまでの間に、バールを素早く押し込むと、バールは蓋の裏面に入り込み、かつ、第１部材孔の壁に先端が当たり、それ以上の侵入が防がれる。そして、バールのてこ作用で蓋はこじ開けられる。このように、第２部材が元に戻るまでの間に、バールを蓋裏に差し込むことが一般人には不可能なことである。
【００１０】
【発明の実施の形態】
以下に本発明の実施態様を図面に示す一実施例にもとづき説明する。
図１〜４で、蓋１は枠２に第１部材１０と第２部材２０を介して開閉可能とされる。第１部材１０は、バール切欠１ａに近接した蓋の裏面にブラケット３の溝３ａを介して着脱、かつ、回動自在に取付けられる。第２部材２０は、第１部材１０の枢支軸に摺回動自在に嵌合される。
【００１１】
しかして、図２，５，６で、前記第１部材１０は前記蓋の閉鎖状態において、蓋裏面に平行な上辺をもった偏平矩形本体１１と、該本体の一方および他方側面から前記蓋裏面に平行に前記ブラケットまで突出した一方軸１２および他方軸１３とを有する。また、前記本体の上辺から上方に突出したバール切欠覆い１４と、前記本体の下辺に設けられた重り部１５と、前記重り部の一方側面から突出した凸部１６とを有する。そして、第１部材本体１１と覆い１４との境界部には鉢巻き状に位置決め溝１７から設けられる。
【００１２】
前記第１部材の本体１１から重り部１５へかけての背面には、厚さ方向に深い位置決め穴１１ａが設けられ、該位置決め穴に一端部が挿入された圧縮コイルバネ４の他端が前記蓋１の裏面に押圧接触し、該コイルバネ４の他端が嵌合する位置決め凸部１ｂが前記蓋１の裏面に設けられる。
【００１３】
また、環状シール部材３０はゴムなどの弾性に富むものからなり、断面円形の長円状本体３１と、その長径，短径を含む平面内で外周から張り出した可撓性に富むヒダ状部３２からなる。そして、前記位置決め溝１７に弾性変形して嵌まり、蓋閉状態で、蓋のバール切欠１ａと前記第１部材のバール切欠覆い１４との間の隙間を塞ぐように、前記ヒダ状部の大きさ，形状に定められる。
【００１４】
前記第２部材２０は、上端付近に枢支孔２１１ａ、中間部の前記第１部材側面に前記凸部１６を避ける凹所２１１ｂを持つ本体２１１の下端に引掛部２１２が形成された鈎部２１と、該鈎部の上端から上方に突出したストッパ２２とを持つ。（凸部１６，凹所２１１ｂの凹凸関係は逆、つまり、第１部材１０側が凹、第２部材２０側が凸でもよい。）
以上において作動状態を説明する。常時は重り部１５の自重およびコイルバネ４によって覆い１４はバール切欠１ａを閉鎖している。また覆い１４の上面に泥砂等がのっても覆い１４は動く事なく、マンホール内に侵入しない。雨水も隙間からマンホール内に流下しない。また同時にマンホール内の有害ガス、悪臭の大気発散は防がれる。更に、鉤部の引掛部２１２は受枠内周壁の水平突起２ａの下面に係合し、蓋は持ち上げられず、従ってマンホール内に発生する揚水圧、ガス圧によって蓋が吹き飛んだり開蓋することもない。
【００１５】
次にバール等の人為的な、しかも所定以上の力をもって切欠１ａの外部から覆い１４を押圧すれば、重り部１５およびコイルバネ４の閉方向の押圧力に打ち勝って覆い１４が移動し、切欠１ａが開く。
【００１６】
所定角度以上に第１部材１０が回動すると、その凸部１６が第２部材２０の凹所２１１ｂの壁を押し上げるので、第２部材２０が上方に回動し、引掛部２１２が受枠内周壁の突起２ａから離れる。これによってバール等を挿入し、蓋を持ち上げることができる。
【００１７】
さてここで、蓋１は簡単には開かないようになっている。即ち、図７のようにバールを覆１４の上面から挿入すると、第１部材１０は第１角度まで回動して、バール切欠１ａは開くが、凸部１６が第２部材凹所２１１ｂ内を動くだけで、第２部材２０の引掛部２１２は受枠突起に係合したままである。従って、バール先端を蓋裏に当ててこじ開けようとしても、蓋１は閉状態である。
【００１８】
次に、図８のようにバールで覆い１４付近を押圧すれば、第１部材１０は更に回動し、凸部１６が第２部材凹所２１１ｂ壁を押すので、両部材は一体となって第２角度まで回動し、ついに引掛部２１２が受枠から離れる。この状態から第２部材２０が自重で元に戻って引掛部が受枠突起２ａに係止するまでの間に、バールを素早く押し込むと、バールは蓋１の裏面に入り込み、かつ、コイルバネ４と位置決め凸部１ｂに先端が当たり、それ以上の侵入が防がれる。そして、バールのてこ作用で蓋１はこじ開けられる。このように、第２部材２０が元に戻るまでの間に、バールを蓋裏に差し込むことが一般人には不可能なことである。
【００１９】
また、特にコイルバネ４により第１部材１０が蓋閉方向に常に押圧されており、かつ、第１部材の蓋開方向への回動に伴って、それを阻止するバネ力が増大する。従ってそれだけ、一般人による開放作業が困難となる。このように、第１部材１０，第２部材２０による２個の部材の時間差による作動には、第１部材１０の回動角度が６０〜９０度程度が必要であるが、このような広い範囲での変動を可能にしたのは、コイルバネ４の採用によるものである。しかも、第１部材１０の全開状態においては、コイルバネ４の大部分は第１部材の位置決め穴１１ａ内に収容され、また、場合によっては、蓋裏面の位置決め凸部１ｂも穴内に収容される。
【００２０】
本発明は前記した実施例や実施態様に限定されず、特許請求の精神および範囲を逸脱せずに種々の変形を含む。
【００２１】
【発明の効果】
本発明の構成により、蓋は簡単には開けられず、不法投棄などが防がれる。また、蓋裏面の凸部に嵌まったコイルバネによってバールの差し込み長さが規制されるので、蓋開放作業が容易・迅速になされる。
【００２２】
特にコイルバネにより第１部材が蓋閉方向に付勢されているので、一般人による蓋開放の困難性が増す。それと同時に環状シール部材が蓋バール切欠の内周に押し付けられるので、雨水の浸入が確実に防止されると共に、車の走行による第１部材の揺動による蓋切欠の開放が防止される。しかも、シール部材はバール切欠覆いの首部に装着されているので、バールなどにより損傷されることはない。そのうえ、シール部材の装着が容易であり、また、シール材料が少なくてすむと共に、製作も容易である。
【図面の簡単な説明】
【図１】本考案の一実施例の鉛直断面図である。
【図２】その要部拡大図である。
【図３】図２の左側面図である。
【図４】蓋下面の断片的斜視図である。
【図５】第１部材の分解斜視図である。
【図６】第２部材の分解斜視図である。
【図７】第１部材の作用説明図である。
【図８】第２部材の作用説明図である。
【図９】シール部材の平面図である。
【図１０】図９のＸ―Ｘ断面図である。
【符号の説明】
１…蓋
１ａ…バール切欠  １ｂ…位置決め凸部
２…受枠  ２ａ…突起
３…ブラケット  ３ａ…溝
４…コイルバネ
１０…第１部材
１１…本体  １１ａ…有底位置決め穴
１２…一方軸
１３…他方軸
１４…バール切欠覆い
１５…重り部
１６…凸部
１７…位置決め溝
２０…第２部材
２１…鉤部
２１１…本体  ２１１ａ…枢支軸  ２１１ｂ…凹所
２１２…引掛部
２２…ストッパ
３０…環状シール部材
３１…長円状本体
３２…ヒダ状部
【図１】
0003625556.tif 000002
【図２】
0003625556.tif 000003
【図３】
0003625556.tif 000004
【図４】
0003625556.tif 000005
【図５】
0003625556.tif 000006
【図６】
0003625556.tif 000007
【図７】
0003625556.tif 000008
【図８】
0003625556.tif 000009
【図９】
0003625556.tif 000010
【図１０】
0003625556.tif 000011